【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
帯電部材に電圧を印加し静電潜像担持体を帯電する帯電工程と、帯電された静電潜像担持体に静電潜像を形成する静電潜像形成工程と、静電潜像担持体上に形成された静電潜像にトナー担持体上に担持されたトナーを付着させてトナー像を静電潜像担持体上に形成する現像工程と、静電潜像担持体上に形成されたトナー像を中間転写体を介して又は介さずに転写材に静電転写する転写工程と、転写材に静電転写されたトナー像を定着する定着工程とを有する画像形成方法であって、
該トナー担持体は、軸芯体及び軸芯体の外周の弾性層、並びに該弾性層の外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２ピークを有し、それぞれのピーク位置をＤP（Ａ）［μｍ］及びＤP（Ｂ）［μｍ］、ピーク高さをＤH（Ａ）及びＤH（Ｂ）とし、該トナーの個数平均粒径をＤ1（Ｔ）［μｍ］としたとき、
２．０≦ＤP（Ｂ）−ＤP（Ａ）≦１２．０
３．０≦Ｄ1（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及び離型剤を少なくとも含有するトナー粒子と、無機微粉体とを有し、
該トナーの粒度分布において、個数平均粒径Ｄ1（Ｔ）が３．０乃至８．０μｍ、個数平均粒径２．０μｍ未満の割合が１８．０個数％以下、重量平均粒径８．０μｍ以上の割合が３．０体積％以下であり、
該トナーのフローテスター昇温法による１００℃における粘度が４．０×１０3乃至５．０×１０4Ｐａ・ｓであることを特徴とする画像形成方法。
【請求項２】
該トナー担持体の表面層において、結着樹脂１００質量部に対する該粒子の配合量をＣ［質量部］、該表面層の厚さをｔ［μｍ］としたとき、
１５．０≦Ｃ≦４０．０
８．０≦ｔ≦１５．０
であることを特徴とする請求項１に記載の画像形成方法。
【請求項３】
該トナー担持体の表面硬度が３０．０乃至３８．０であることを特徴とする請求項１又は２に記載の画像形成方法。
【請求項４】
該トナー担持体の表面層の該粒子が主粒子としてＡ及びＢを含み、Ａ、Ｂの混合重量比がＡ：Ｂ＝６０：４０乃至９０：１０であることを特徴とする請求項１乃至３のいずれか一項に記載の画像形成方法。
【請求項５】
該トナー担持体の表面層の該粒子が樹脂粒子であり、トナー担持体の表面層の該結着樹脂及び該樹脂粒子がウレタン樹脂であることを特徴とする請求項１乃至４のいずれか一項に記載の画像形成方法。
【請求項６】
該トナー担持体の表面層の該粒子が主粒子としてＡ及びＢを含み、Ａの重量平均粒径Ｄ4（Ａ）［μｍ］が、６．０≦Ｄ4（Ａ）≦１０．０であることを特徴とする請求項１乃至５のいずれか一項に記載の画像形成方法。
【請求項７】
該トナー担持体の表面層の該粒子が主粒子としてＡ及びＢを含み、Ｂの重量平均粒径Ｄ4（Ｂ）［μｍ］が、１２．０≦Ｄ4（Ｂ）≦２０．０であることを特徴とする請求項１乃至６のいずれか一項に記載の画像形成方法。
【請求項８】
該トナー担持体の表面層の該粒子が主粒子としてＡ及びＢを含み、Ａの重量平均粒径Ｄ4（Ａ）［μｍ］とＢの重量平均粒径Ｄ4（Ｂ）［μｍ］が、Ｄ4（Ｂ）−Ｄ4（Ａ）≧４．０であることを特徴とする請求項１乃至７のいずれか一項に記載の画像形成方法。
【請求項９】
該トナーの個数平均粒径２．０μｍ未満の割合が５．０個数％以下であることを特徴とする請求項１乃至８のいずれか一項に記載の画像形成方法。
【請求項１０】
該トナーの重量平均粒径８．０μｍ以上の割合が１．０体積％以下であることを特徴とする請求項１乃至９のいずれか一項に記載の画像形成方法。
【請求項１１】
該トナーのフローテスター昇温法による１００℃における粘度が４．０×１０3乃至２．０×１０4Ｐａ・ｓであることを特徴とする請求項１乃至１０のいずれか一項に記載の画像形成方法。
【請求項１２】
該トナー粒子が、樹脂微粒子、着色剤微粒子、及び離型剤微粒子を少なくとも凝集して微粒子の凝集体を形成する工程及び微粒子の該凝集体中の微粒子間の融着を起こさせる熟成工程を経て得られる乳化凝集法で得られることを特徴とする請求項１乃至１１のいずれか一項に記載の画像形成方法。
【請求項１３】
該樹脂微粒子がポリエステル樹脂からなることを特徴とする請求項１乃至１２のいずれか一項に記載の画像形成方法。
【請求項１４】
帯電部材に電圧を印加し静電潜像担持体を帯電する帯電工程と、帯電された静電潜像担持体に静電潜像を形成する静電潜像形成工程と、静電潜像担持体上に形成された静電潜像にトナー担持体上に担持されたトナーを付着させてトナー像を静電潜像担持体上に形成する現像工程と、静電潜像担持体上に形成されたトナー像を中間転写体を介して又は介さずに転写材に静電転写する転写工程と、転写材に静電転写されたトナー像を定着する定着工程とを有する画像形成方法に用いられるトナーであって、
該トナー担持体は、軸芯体及び軸芯体の外周の弾性層、並びに該弾性層の外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２ピークを有し、それぞれのピーク位置をＤP（Ａ）［μｍ］及びＤP（Ｂ）［μｍ］、ピーク高さをＤH（Ａ）及びＤH（Ｂ）とし、該トナーの個数平均粒径をＤ1（Ｔ）［μｍ］としたとき、
２．０≦ＤP（Ｂ）−ＤP（Ａ）≦１２．０
３．０≦Ｄ1（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及び離型剤を少なくとも含有するトナー粒子と、無機微粉体とを有し、
該トナーの粒度分布において、個数平均粒径Ｄ1（Ｔ）が３．０乃至８．０μｍ、個数平均粒径２．０μｍ未満の割合が１８．０個数％以下、重量平均粒径８．０μｍ以上の割合が３．０体積％以下であり、
該トナーのフローテスター昇温法による１００℃における粘度が４．０×１０3乃至５．０×１０4Ｐａ・ｓであることを特徴とするトナー。
【手続補正２】
【補正対象書類名】明細書
【補正対象項目名】００１０
【補正方法】変更
【補正の内容】
【００１０】
＜１＞
帯電部材に電圧を印加し静電潜像担持体を帯電する帯電工程と、帯電された静電潜像担持体に静電潜像を形成する静電潜像形成工程と、静電潜像担持体上に形成された静電潜像にトナー担持体上に担持されたトナーを付着させてトナー像を静電潜像担持体上に形成する現像工程と、静電潜像担持体上に形成されたトナー像を中間転写体を介して又は介さずに転写材に静電転写する転写工程と、転写材に静電転写されたトナー像を定着する定着工程とを有する画像形成方法であって、
該トナー担持体は、軸芯体及び軸芯体の外周の弾性層、並びに該弾性層の外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２ピークを有し、それぞれのピーク位置をＤP（Ａ）［μｍ］及びＤP（Ｂ）［μｍ］、ピーク高さをＤH（Ａ）及びＤH（Ｂ）とし、該トナーの個数平均粒径をＤ1（Ｔ）［μｍ］としたとき、
２．０≦ＤP（Ｂ）−ＤP（Ａ）≦１２．０
３．０≦Ｄ1（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及び離型剤を少なくとも含有するトナー粒子と、無機微粉体とを有し、
該トナーの粒度分布において、個数平均粒径Ｄ1（Ｔ）が３．０乃至８．０μｍ、個数平均粒径２．０μｍ未満の割合が１８．０個数％以下、重量平均粒径８．０μｍ以上の割合が３．０体積％以下であり、
該トナーのフローテスター昇温法による１００℃における粘度が４．０×１０3乃至５．０×１０4Ｐａ・ｓであることを特徴とする画像形成方法。
【手続補正３】
【補正対象書類名】明細書
【補正対象項目名】００１１
【補正方法】変更
【補正の内容】
【００１１】
＜２＞
該トナー担持体の表面層において、結着樹脂１００質量部に対する粒子の配合量をＣ［質量部］、該表面層の厚さをｔ［μｍ］としたとき、
１５．０≦Ｃ≦４０．０
８．０≦ｔ≦１５．０
であることを特徴とする＜１＞に記載の画像形成方法。
【手続補正４】
【補正対象書類名】明細書
【補正対象項目名】００１２
【補正方法】変更
【補正の内容】
【００１２】
＜３＞
該トナー担持体の表面硬度が３０．０〜３８．０であることを特徴とする＜１＞又は＜２＞に記載の画像形成方法。
【手続補正５】
【補正対象書類名】明細書
【補正対象項目名】００１３
【補正方法】変更
【補正の内容】
【００１３】
＜４＞
該トナー担持体の表面層の該粒子が主粒子としてＡ及びＢを含み、Ａ、Ｂの混合重量比がＡ：Ｂ＝６０：４０乃至９０：１０であることを特徴とする＜１＞乃至＜３＞のいずれかに記載の画像形成方法。
【手続補正６】
【補正対象書類名】明細書
【補正対象項目名】００１４
【補正方法】変更
【補正の内容】
【００１４】
＜５＞
該トナー担持体の表面層の該粒子が樹脂粒子であり、トナー担持体の表面層の該結着樹脂及び該樹脂粒子がウレタン樹脂であることを特徴とする＜１＞乃至＜４＞のいずれかに記載の画像形成方法。
【手続補正７】
【補正対象書類名】明細書
【補正対象項目名】００１５
【補正方法】変更
【補正の内容】
【００１５】
＜６＞
該トナー担持体の表面層の該粒子が主粒子としてＡ及びＢを含み、Ａの重量平均粒径Ｄ4（Ａ）［μｍ］が、６．０≦Ｄ4（Ａ）≦１０．０であることを特徴とする＜１＞乃至＜５＞のいずれかに記載の画像形成方法。
【手続補正８】
【補正対象書類名】明細書
【補正対象項目名】００１６
【補正方法】変更
【補正の内容】
【００１６】
＜７＞
該トナー担持体の表面層の該粒子が主粒子としてＡ及びＢを含み、Ｂの重量平均粒径Ｄ4（Ｂ）［μｍ］が、１２．０≦Ｄ4（Ｂ）≦２０．０であることを特徴とする＜１＞乃至＜６＞のいずれかに記載の画像形成方法。
【手続補正９】
【補正対象書類名】明細書
【補正対象項目名】００１７
【補正方法】変更
【補正の内容】
【００１７】
＜８＞
該トナー担持体の表面層の該粒子が主粒子としてＡ及びＢを含み、Ａの重量平均粒径Ｄ4（Ａ）［μｍ］とＢの重量平均粒径Ｄ4（Ｂ）［μｍ］が、Ｄ4（Ｂ）−Ｄ4（Ａ）≧４．０であることを特徴とする＜１＞乃至＜７＞のいずれかに記載の画像形成方法。
【手続補正１０】
【補正対象書類名】明細書
【補正対象項目名】００１８
【補正方法】変更
【補正の内容】
【００１８】
＜９＞
該トナーの個数平均粒径２．０μｍ未満の割合が５．０個数％以下であることを特徴とする＜１＞乃至＜８＞のいずれかに記載の画像形成方法。
【手続補正１１】
【補正対象書類名】明細書
【補正対象項目名】００１９
【補正方法】変更
【補正の内容】
【００１９】
＜１０＞
該トナーの重量平均粒径８．０μｍ以上の割合が１．０体積％以下であることを特徴とする＜１＞乃至＜９＞のいずれかに記載の画像形成方法。
【手続補正１２】
【補正対象書類名】明細書
【補正対象項目名】００２０
【補正方法】変更
【補正の内容】
【００２０】
＜１１＞
該トナーのフローテスター昇温法による１００℃における粘度が４．０×１０3乃至２．０×１０4Ｐａ・ｓであることを特徴とする＜１＞乃至＜１０＞のいずれかに記載の画像形成方法。
【手続補正１３】
【補正対象書類名】明細書
【補正対象項目名】００２１
【補正方法】変更
【補正の内容】
【００２１】
＜１２＞
該トナー粒子が、樹脂微粒子、着色剤微粒子、及び離型剤微粒子を少なくとも凝集して微粒子の凝集体を形成する工程及び微粒子の該凝集体中の微粒子間の融着を起こさせる熟成工程を経て得られる乳化凝集法で得られることを特徴とする＜１＞乃至＜１１＞のいずれかに記載の画像形成方法。
【手続補正１４】
【補正対象書類名】明細書
【補正対象項目名】００２２
【補正方法】変更
【補正の内容】
【００２２】
＜１３＞
該樹脂微粒子がポリエステル樹脂からなることを特徴とする＜１＞乃至＜１２＞のいずれかに記載の画像形成方法。
【手続補正１５】
【補正対象書類名】明細書
【補正対象項目名】００２３
【補正方法】変更
【補正の内容】
【００２３】
＜１４＞
帯電部材に電圧を印加し静電潜像担持体を帯電する帯電工程と、帯電された静電潜像担持体に静電潜像を形成する静電潜像形成工程と、静電潜像担持体上に形成された静電潜像にトナー担持体上に担持されたトナーを付着させてトナー像を静電潜像担持体上に形成する現像工程と、静電潜像担持体上に形成されたトナー像を中間転写体を介して又は介さずに転写材に静電転写する転写工程と、転写材に静電転写されたトナー像を定着する定着工程とを有する画像形成方法に用いられるトナーであって、
該トナー担持体は、軸芯体及び軸芯体の外周の弾性層、並びに該弾性層の外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２ピークを有し、それぞれのピーク位置をＤP（Ａ）［μｍ］及びＤP（Ｂ）［μｍ］、ピーク高さをＤH（Ａ）及びＤH（Ｂ）とし、該トナーの個数平均粒径をＤ1（Ｔ）［μｍ］としたとき、
２．０≦ＤP（Ｂ）−ＤP（Ａ）≦１２．０
３．０≦Ｄ1（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及び離型剤を少なくとも含有するトナー粒子と、無機微粉体とを有し、
該トナーの粒度分布において、個数平均粒径Ｄ1（Ｔ）が３．０乃至８．０μｍ、個数平均粒径２．０μｍ未満の割合が１８．０個数％以下、重量平均粒径８．０μｍ以上の割合が３．０体積％以下であり、
該トナーのフローテスター昇温法による１００℃における粘度が４．０×１０3乃至５．０×１０4Ｐａ・ｓであることを特徴とするトナー。